(57)【特許請求の範囲】
【請求項１】
柱形成用の部材Ａおよび部材Ｂと梁形成用の部材Ｃを組み合わせた空間形成物において、部材Ａの表面と部材Ｂの裏面は部材Ｃの端部契合部を上下に契合する溝契合部が互いに直交するＸ、Ｙ方向に設けられ、部材Ａの裏面と部材Ｂ表面には互いに契合可能な接続契合部が設けられ、部材Ｃは部材Ａと部材Ｂとの間に契合する端部契合部と直線状とされた梁部からなり、部材Ａ、部材Ｃ、部材Ｂを平面状に配列かつ順次重ね、最終段を部材Ａ、部材Ｃとする柱と梁部からなる空間形成物。
【発明の詳細な説明】
【技術分野】
【０００１】
本発明は、各種用途に使用される空間形成物にかかわる技術に属する。
【背景技術】
【０００２】地下に単位部材を組立て、空間形成物を構成し、その周囲をシート類で覆った雨水等の流出抑制を目的とする、雨水貯留浸透施設が普及している。この目的のため各種の異なる形状の単位部材が例えば特開昭63-268823、特開昭63-293233、特開平9-296486、特開平10-252108、特開平11-36383、特開平11-43971、特開平11-222886などに提案且つ使用されている。いずれの方法も単位部材を地下に配列し、その周囲を透水性若しくは遮水性のシートで包み、その内部空間に雨水等を貯留する浸透・貯留施設とするものであった。またかかる空間形成物にヘドロを充填し、その上部を駐車場あるいは公園などとして使用する提案も特開2004-313861になされている。それらの単位部材に変わる新しい単位部材を用いた空間形成物の提案にある。
【先行技術文献】
【特許文献】
【０００３】
【特許文献１】特開昭63-268823
【特許文献２】特開昭63-293233
【特許文献３】特開平9-296486
【特許文献４】特開平10-252108
【特許文献５】特開平11-36383
【特許文献６】特開平11-43971
【特許文献７】特開平11-222886
【発明の概要】
【発明が解決しようとする課題】
【０００４】
本発明は、空間形成物を形成する新規の単位部材の提案にある。
【課題を解決するための手段】
【０００５】
本発明は、柱形成用の部材Ａおよび部材Ｂと梁形成用の部材Ｃを組み合わせた空間形成物において、部材Ａの表面と部材Ｂの裏面は部材Ｃの端部契合部を上下に契合する溝契合部が互いに直交するＸ、Ｙ方向に設けられ、部材Ａの裏面と部材Ｂ表面には互いに契合可能な接続契合部が設けられ、部材Ｃは部材Ａと部材Ｂとの間に契合する端部契合部と直線状とされた梁部からなり、部材Ａ、部材Ｃ、部材Ｂを平面状に配列かつ順次重ね、最終段を部材Ａ、部材Ｃとする柱と梁部からなる空間形成物である。最少の部材で空間形成物の柱、梁を形成できるよう、部材Ａ、部材Ｂと部材Cを上記の形状とした。
【発明の効果】
【０００６】
本発明は、（１）部材Ａと部材Ｂの間に部材Ｃを契合する契合溝部を互いに直交するＸ、Ｙ方向に設けたため柱部と梁部からなる空間形成物の最小単位が形成できる。（２）さらに部材Ｂと部材Ａとを上下に契合できる接続契合部を設けたため本単位を更に上方に伸ばしていくことができる。（３）部材Ｃを端部契合部と直線状の梁部から形成したため柱部間の距離が固定される。
【図面の簡単な説明】
【０００７】
【図１】は、部材Ａの例を示す概念図である。
【図２】は、部材Ｂの例を示す概念図である。
【図３】は、部材Ｃの例を示す概念図である。
【図４】は、部材Ａ、部材Ｂおよび部材Ｃを用いる空間形成物の組立て手順の例を示す概念図である。
【図５】は、空間形成物の壁部、天井部を覆った状態を示す概念図である。
【図６】は、空間形成物を雨水等の貯留浸透槽として使用する例を示す。
【図７】は、空間形成物をヘドロ処理施設として使用する例を示す。
【発明を実施するための形態】
【０００８】
以下本発明を、図を用いて、より詳細に説明する。
図１は、部材Ａの斜視図と表裏の平面図および側面図である。
部材Ａは柱形成部材の一つであり後述する部材Ｂとともに本空間形成物の柱部を形成するとともに梁部を支える。
図では部材Ａは正方形でその表面および裏面には互いに直交するＸ、Ｙ方向に溝が設けられている。表面に設けられた溝は、後述する部材Ｂの裏面に設けた溝と併せ部材Ｃの契合部と契合する契合溝部である。
裏面に設けられた溝は部材Ｂを上方に契合するための接続契合部である。
なお部材Ａの側面に設けられた溝は壁溝であって、壁材を嵌めるために利用される。
【０００９】
図２は、部材Ｂの斜視図と表裏の平面図および側面図である。
部材Ｂの外形は部材Ａと同形の正方形であり、その表面には部材Ａの裏面に設けた溝部と契合する突部が接続契合部として設けられている。
その裏面には互いに直交するＸ、Ｙ方向に溝部が契合溝部として設けられている。前述した部材Ａの表面に設けた契合溝部と共に部材Ｃの端部契合部を契合して固定する。なお部材Ｂの側面に設けられた溝は壁溝であって部材Ａの側面に設けた壁溝と直線状に繋がるように設けられている。
【００１０】
部材Ａ、部材Ｂの中心には貫通孔が設けられているが、この貫通孔は部材Ｃの端部契合部に係止部を設けた場合その係止部の収納部となる。本収納部の大きさ形状によっては貫通孔である必要はない。互いに直交するＸ、Ｙ方向に設けた契合溝部の先に設ける凹部であってもよく、係止部の形状に応じて定めることができる。
【００１１】
図３は、部材Ｃを示す概念図である。本空間形成物の梁部を形成する。部材Ｃはその両端が部材Ａと部材Ｂとに設けられた契合溝部に挿入嵌め込まれる端部契合部であり、必要に応じて端部契合部には図３Ｃに示すような係止部が設けられる。
梁部は断面十字状あるいは菱形等適宜変更できる。天井板あるいは床板を載置するためには両側に翼のある十字状断面とし、雨水貯留など砂泥の堆積を防止するためには図３ｂに示す菱形など翼部が斜面となる形状とする。
【００１２】
図４は、部材Ａ、部材Ｂおよび部材Ｃを用いた空間形成物の形成手順を示す図である。部材Ａ間に部材Ｃの端部契合部を部材Ａの表面に互いに直交するＸ、Ｙ方向に設けた契合溝部に嵌め、さらに部材Ｂを部材Ｂの裏面に設けた契合溝部を部材Ｃの端部契合部に嵌める。以下その繰り返しで必要な高さまで組み上げる。最終段は部材Ｃを嵌めたところで留める。
【００１３】
壁材はその端部の厚みは、部材Ａと部材Ｂの側面に設けた壁溝に嵌る厚みとされ、長さは部材Ｃの梁部の長さと壁溝の深さの２倍したものとの和となり、幅は部材Ａ、部材Ｂの高さに等しくすることで空間形成物を側面からふさぐことができる。
【００１４】
床天井板は部材Ｃの梁部の長さを一辺とする正方形となる。
天井部は図５ａ、図５ｂに示す断面十字形とされた部材Ｃを使用し、翼部に床天井板を載置する。必要に応じ各梁部に床天井材を使用することもできる。
【００１５】
壁材、床天井材は要求される空間形成物の用途に応じて透孔を設け、あるいはリブで形成するなど適宜変更することができる。
【００１６】
図５ａは、空間形成物の側部、天井部を覆った状態を示す概念図である。本空間形成物を地上に設ける場合には、図５ｂに示すように、空間形成物の側部および柱部の両側を壁材で覆った状態とすることができる。柱部の両側を壁材で覆い壁材の間にモルタルなどの接着剤、ガラスウールなどを充填し、本空間形成物の強度向上、断熱性向上に資することができる。
【００１７】
以下本空間形成物の利用分野に付き説明する。
図６は、空間形成物の側面、底部、上部をシート類で覆い、地下に埋設し雨水等の一時貯留を目的とする水槽として利用する例を示している。
図６に示すように必要な付帯設備とし、泥だめ枡、流入管、溢流管、あるいはオリフィスますを配置して利用する。
【００１８】
図７は、空間形成物の側面、底部、上部を透水シートで覆い、河川あるいは湖沼の近くの地下に埋設し、ヘドロを充填し、透水シートを介して水分を浸透させヘドロ中に含まれる水分を減少させる目的に使用する。上部を公園、駐車場などとして利用可能なため、水分が減少するまでの時間を得ることができる。
【産業上の利用可能性】
【００１９】
雨水の流出抑制施設である貯留槽、浸透槽としてあるいはヘドロを長期間にわたって貯留し、徐々に水分を減少させる施設として利用可能である。
【符号の説明】
【００２０】
１  部材Ａ
２  部材Ｂ
３  部材Ｃ
１１  契合溝部
１２  接続契合部
１４  端部契合部
１５  梁部
１６  係止部
１７  貫通孔
１８  壁溝  
４    壁材
５    床材・天井材  
【図１】
0005735818.tif 000002
【図２】
0005735818.tif 000003
【図６】
0005735818.tif 000004
【図７】
0005735818.tif 000005
【図３】
0005735818.tif 000006
【図４】
0005735818.tif 000007
【図５】
0005735818.tif 000008